(57)【要約】【課題】従来のフェンスは、ちょうど良い寸法の丸太を低コストで多数集めることが困難であり、またロータリー加工を施すには専用の機械を購入しなければならないことから、高コストになるという課題を有している。また、自然木を使ったフェンスは、横木に高低差があるため支柱と接続するのに不都合さがある。【解決手段】端部を中間断面より狭小断面となるよう削設した横木を、離間して立設した支柱間に配設し、該支柱に固定した連結材に上記横木を挟み込んで固着することによりフェンスを形成するようにしたものである。【選択図】図２
2006291546.tif 000002
【特許請求の範囲】
【請求項１】
端部を中間断面より狭小断面となるよう削設した横木を、離間して立設した支柱間に配設し、該支柱に固定した連結材に上記横木を挟み込んで固着することによりフェンスを形成するようにしたフェンスの横木連結材。
【請求項２】
連結材は、断面Ｍ形に成形し、谷側及び両側面に挿通穴を施した請求項１に記載の丸太フェンスの横木連結材。
【請求項３】
連結材の側面に長穴の挿通穴を施したことを特徴とする請求項１〜２記載の丸太フェンスの横木連結材。
【請求項４】
連結材に横木を取り付ける際に横木の端部に加工部を設けたことを特徴とする請求項１〜３記載の丸太フェンスの横木連結材。
【発明の詳細な説明】
【技術分野】
【０００１】
本発明は、歩行者や車両等の侵入・横断防止を目的として設置するフェンスに関するもので、丸太材による横木材の組付け作業効率を向上したフェンスの横木連結材に係るものである。
【背景技術】
【０００２】
一般的に、公園や遊歩道などのフェンスとしては、鉄パイプや合成樹脂などで生成されているが、近年自然の趣がある丸太によるフェンスが好まれている。この場合、加工も簡単なことから、比較的一定の太さのまっすぐな丸太で形成されている。そして、このようなフェンスとしては、樹皮の付いた丸太を適宜切断して支柱と横木に形成し、ワイヤーやカスガイなどで固定したものが一般的である。そして、これら丸太はロータリー加工し、支柱に横木端部を組み込むようにしている。
これに対し、特開２００２−１６７９３６号公報に記載されているように、隣り合う支柱間を木製の手摺棒で繋ぎ、該手摺棒の端部下面側には嵌合用凹部が形成され、一方上記支柱には該手摺棒の端部を受け、これを下方から支持するようにした手摺受け部材が横方向に突出して設けられ、該嵌合用凹部に手摺受け部材を嵌入させた状態で、ボルト等により結合することにより、フェンスを形成するようにした発明が提案されている。
【特許文献１】特開２００２−１６７９３６号公報
【発明の開示】
【発明が解決しようとする課題】
【０００３】
最近では森林資源の保護や木材の高騰などにより、フェンスにちょうど良い寸法の丸太を低コストで多数集めるということが困難である。また、ロータリー加工を施すには、専用の機械を設置しなければならず、生産効率が悪く、高コストになるという課題が有る。
また、比較的コストの低い木材として間伐材を利用するということが挙げられるが、間伐材は形の悪い木や成長の遅い木を間引きしたものであることから、太さや形が不揃いなため、支柱と横木を接続するのに不都合があった。
また、上記の場合、手摺棒の端部下面側には嵌合用凹部が形成されているため、該嵌合用凹部から亀裂が入りやすく、強度の低下や腐食の促進などの課題が残る。
本発明は、上記種々の課題を解消すべくなされたもので、生産効率が良く、低コストで自然な趣のあるフェンスを提供すると共に、間伐材の有効利用を図ることを目的とするものである。
【課題を解決するための手段】
【０００４】
本発明は、このような課題を解決することを目的とするもので、請求項１の発明は、端部を中間断面より狭小断面となるよう削設した横木を、離間して立設した支柱間に配設し、該支柱に固定した連結材に上記横木を挟み込んで固着することによりフェンスを形成するようにしたものである。
【０００５】
請求項２記載の発明は、連結材を断面Ｍ形に成形し、谷側及び両側面に挿通穴を施したことを特徴とするものである。
【０００６】
また、請求項３記載の発明は、連結材の側面に長穴の挿通穴を施したことを特徴とするものである。
【０００７】
また、請求項４記載の発明は、断面Ｍ形連結材に横木材を取り付ける際、横木の端部に加工部を設けることで、安全性を考慮した丸太フェンスである。
【発明の効果】
【０００８】
先に述べたように、本発明に係る横木連結材によれば、支柱材，横木材などの間伐材の形状が不揃いであったとしても有効に連結することができ、作業効率も良く、しかも低コストで自然の趣を有するフェンスを造ることができる。
また、支柱と横木材とは、同一平面内で連結することができるので、出っ張りもなくスッキリとしたフェンスを造ることができる。
【発明を実施するための最良の形態】
【０００９】
本発明に係る丸太フェンスについて、図面により詳細に説明する。
図１は、本発明による丸太フェンスの最良の形態を示す側面図である。同図に示すように、１はフェンスで、該フェンス１は、支柱材２と横木材３とから成っており、適切な間隔をおいて立設した各支柱材２，２間に横木材３が複数本取り付けられ、フェンス１が構成されている。これら支柱材２及び横木材３は、いずれも自然木で生成されるのが通常で、この場合、元口・末口の径寸法に差がある。
上記横木材３は、その両端部を中間断面より狭小断面となるよう削設され、該狭小断面と中間部との間には傾斜部が形成されている。なお、本実施例では、狭小断面を両面に形成しているが、片面のみであっても良い。
４は連結材で、該連結材４は、アルミニウム，ステンレス，鉄などの金属で形成され、略Ｍ字状に形成されており、支柱材２にボルトにより固定されている。該連結材４により上記支柱材２と横木材３とを連結するものである。
例えば、支柱間は芯々を２０００ｍｍとして、支柱材２を立設する。該支柱材２の長さは、１６００ｍｍ、直径８０ｍｍで形成されている。また、該支柱材２の適切な位置に、断面Ｍ形連結材４が、ボルトにより複数個固定されている。横木材３は長さが１８６０ｍｍ、元口の直径が６０ｍｍ、末口の直径が５５ｍｍとして、この両端部に断面Ｍ形連結材４内に入る狭小断面の加工、および挿通穴３aを施し、支柱材２間に均等に４本連結する。そして、ボルト２bを挿通穴２aに挿通して固定することにより、フェンスを構成するものである。
【００１０】
次に、本発明による連結材４の詳細を説明する。図2は、図１中II−II線の連結部における断面平面図である。図３は、図２の側面図である。
同図において、断面Ｍ形の連結材４は、長さが２６０ｍｍ、厚さが３ｍｍ、幅が４０ｍｍのフラットバーを断面Ｍ形に折り曲げ成形したものである。そして、支柱材２に取り付けるために、該連結材４の谷部分に挿通穴４aが削設されており、一方上記支柱材２の中心には、直径が１０ｍｍの挿通穴２aが削設され、これら連結材４の挿通穴４aと支柱材２の挿通穴２aに連結ボルト２bを挿通することにより、支柱材２と横木材３とを固定する。
また、横木材３と断面Ｍ形連結材４の取り付けは、横木材３の狭小断面に直径が１０ｍｍの挿通穴３aを設け、断面Ｍ形連結材４の両側面に幅が３０ｍｍ、高さが１０ｍｍの楕円形の挿通穴４bを設けることにより、ボルト５で固定する。
【００１１】
図３で明らかなように、断面Ｍ形連結材４に設けた挿通穴４bは、横木材３の長手方向に楕円形の長穴にしたことにより、支柱間に多少寸法差が生じても許容できることになる。特に、間伐材などの自然木を活用する場合、全ての間伐材が真直ぐな木とは限らず、多少曲折しているものがあるが、このような木材であっても横木材３への連結材４の取付位置を調整することにより、横木材3の上面を均一に整えることが容易に行えることができ、問題なく利用できる。
また、断面M 形の連結材４に横木材３を取り付けるに際し、横木材３の端部に加工部を設け、上記連結材４にて該加工部を挟持することにより、安全に且つ確実に連結するものである。
【００１２】
このように構成されるフェンス、例えば間伐材を利用する転落防止柵用の丸太フェンス１の設置工事は、図１に示すように、まず、支柱材２の立設個所に穴を掘って筒状の基礎ブロックを縦に埋め込み、この基礎ブロックの内空部に支柱材２を立て、前記内空部の間隙にモルタルを充填し支柱材２を固定する。
【００１３】
このようにすることで、支柱材２の離間距離と横木材３の長さに誤差があったとしても断面Ｍ形連結材４の挿通穴４bにより長さを調整することができる。
【００１４】
また、坂道などの傾斜地の施工における支柱材２と横木材３の接続の際においても角度を自由に設定でき、角度の変化による支柱材２間の距離の差も断面Ｍ形連結材４の挿通穴４bにより調整することができる。
【００１５】
本発明による支柱材２，横木材３はいずれの木材であっても良いが、例えば、２０年〜３０年産の間伐材を利用した場合、木の皮を剥いだ状態で使用するので、年輪を切除することがなく、ロータリー加工に比べて、非常に高い強度がある。また、木の表面に切削断面がないので、亀裂が入りにくいという特徴がある。
また、太さが一定でなかったり、多少湾曲した不揃いの間伐材であったとしても、端部に狭小断面を形成し、連結材４の取付部を加工することにより、横木材３の上面を同一高さに調整することが容易であり、景観上の違和感をなくすことができる。
【００１６】
本発明によるフェンスは、間伐材の有効利用を図ると共に、低コストで自然な趣のあるフェンスとなり、安定した強度を保つため、風の強い海岸沿いや、ため池の周辺等の転落・横断防止を目的としたフェンスに相応しいものとなる。
なお、断面Ｍ形連結材４は、上記実施の形態例に限られるものではない。また、支柱は鉄パイプや擬木によるフェンスでも適宜変更して設計しても良いことは言うまでもない。
【図面の簡単な説明】
【００１７】
【図１】本発明によるフェンスの好適な実施例の要部のみを示す側面図である。
【図２】図１中II−II線における断面平面図である。
【図３】図２の側面図である。
【符号の説明】
【００１８】
１    フェンス
２    支柱材
２a   挿通穴
２b   連結ボルト
３    横木材
３a   挿通穴
３b   横木加工部
４    連結材
４a   挿通穴
４b   挿通穴
５    ボルト
【図１】
2006291546.tif 000003
【図２】
2006291546.tif 000004
【図３】
2006291546.tif 000005
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
木の皮を剥いだ間伐材の端部を中間断面より狭小断面となるよう削設し、該狭小断面と中間部との間に傾斜部を形成したものを横木とし、該横木を離間して立設した支柱間に配設し、該支柱に固定した連結材に上記横木を挟み込んで固着することによりフェンスを形成するようにした丸太フェンス。
【請求項２】
連結材は、断面Ｍ形に成形し、谷側及び両側面に挿通穴を施した請求項１に記載の丸太フェンス。
【手続補正２】
【補正対象書類名】明細書
【補正対象項目名】全文
【補正方法】変更
【補正の内容】
【発明の詳細な説明】
【技術分野】
【０００１】
本発明は、歩行者や車両等の侵入・横断防止を目的として設置するフェンスに関するもので、木の皮を剥いだ間伐材による横木材の組付け作業効率を向上したフェンスに係るものである。
【背景技術】
【０００２】
一般的に、公園や遊歩道などのフェンスとしては、鉄パイプや合成樹脂などで生成されているが、近年自然の趣がある丸太によるフェンスが好まれている。この場合、加工も簡単なことから、比較的一定の太さのまっすぐな丸太で形成されている。そして、このようなフェンスとしては、樹皮の付いた丸太を適宜切断して支柱と横木に形成し、ワイヤーやカスガイなどで固定したものが一般的である。そして、これら丸太はロータリー加工し、支柱に横木端部を組み込むようにしている。
これに対し、特開２００２−１６７９３６号公報に記載されているように、隣り合う支柱間を木製の手摺棒で繋ぎ、該手摺棒の端部下面側には嵌合用凹部が形成され、一方上記支柱には該手摺棒の端部を受け、これを下方から支持するようにした手摺受け部材が横方向に突出して設けられ、該嵌合用凹部に手摺受け部材を嵌入させた状態で、ボルト等により結合することにより、フェンスを形成するようにした発明が提案されている。
【特許文献１】特開２００２−１６７９３６号公報
【発明の開示】
【発明が解決しようとする課題】
【０００３】
最近では森林資源の保護や木材の高騰などにより、フェンスにちょうど良い寸法の丸太を低コストで多数集めるということが困難である。また、ロータリー加工を施すには、専用の機械を設置しなければならず、生産効率が悪く、高コストになるという課題が有る。
また、比較的コストの低い木材として間伐材を利用するということが挙げられるが、間伐材は形の悪い木や成長の遅い木を間引きしたものであることから、太さや形が不揃いなため、支柱と横木を接続するのに不都合があった。
また、上記の場合、手摺棒の端部下面側には嵌合用凹部が形成されているため、該嵌合用凹部から亀裂が入りやすく、強度の低下や腐食の促進などの課題が残る。
本発明は、上記種々の課題を解消すべくなされたもので、生産効率が良く、低コストで自然な趣のあるフェンスを提供すると共に、間伐材の有効利用を図ることを目的とするものである。
【課題を解決するための手段】
【０００４】
本発明は、このような課題を解決することを目的とするもので、木の皮を剥いだ間伐材の端部を中間断面より狭小断面となるよう削設し、該狭小断面と中間部との間に傾斜部を形成したものを横木とし、該横木を離間して立設した支柱間に配設し、該支柱に固定した連結材に上記横木を挟み込んで固着することによりフェンスを形成するようにしたものである。
【０００５】
請求項２記載の発明は、連結材を断面Ｍ形に成形し、谷側及び両側面に挿通穴を施したことを特徴とするものである。
【発明の効果】
【０００６】
本発明に係る横木連結材によれば、木の皮を剥いだ状態の間伐材で形状が不揃いであったり、元口・末口の径寸法に大きな差があっても、該間伐材の端部を中間断面より狭小断面となるよう削設し、該狭小断面と中間部との間に傾斜部を形成したので、支柱材，横木材などを有効に連結することができ、作業効率も著しく向上し、しかも低コストで自然の趣を有するフェンスを造ることができるようになった。
そして、上記横木材は、木の皮を剥いだ状態で使用するので、年輪を切除することがなく、ロータリー加工した丸太に比べて、非常に高い強度があり、木の表面に切削断面がないので、亀裂が入りにくいという特徴がある。
また、支柱と横木材とは、上記連結材にてこれら支柱と横木材の中心で連結しているので、支柱と横木材を同一平面内で連結することができ、しかも横木材の狭小断面と中間部との間に傾斜部を形成したので、出っ張りもなくスッキリとしたフェンスを造ることができるようになった。そして、上記連結材は中央が凹んだ断面Ｍ形に形成しているので、これら支柱や横木材に元口・末口の径寸法に大きな差があっても、どのような径に対しても対応が可能である。
【発明を実施するための最良の形態】
【０００７】
本発明に係る丸太フェンスについて、図面により詳細に説明する。
図１は、本発明による丸太フェンスの最良の形態を示す側面図である。同図に示すように、１はフェンスで、該フェンス１は、支柱材２と横木材３とから成っており、適切な間隔をおいて立設した各支柱材２，２間に横木材３が複数本取り付けられ、フェンス１が構成されている。これら支柱材２及び横木材３は、いずれも自然木で生成されるのが通常で、この場合、元口・末口の径寸法に差がある。
上記横木材３は、木の皮を剥いだ状態の間伐材で、その両端部を中間断面より狭小断面となるよう削設され、該狭小断面と中間部との間には傾斜部３ｂが形成されている。
なお、本実施例では、傾斜部３ｂを両面に形成しているが、片面のみであっても良い。
４は連結材で、該連結材４は、アルミニウム，ステンレス，鉄などの金属で形成され、断面略Ｍ字状に形成されており、支柱材２にボルトにより固定されている。該連結材４により上記支柱材２と横木材３とを連結するものである。
例えば、支柱間は芯々を２０００ｍｍとして、支柱材２を立設する。該支柱材２の長さは、１６００ｍｍ、直径８０ｍｍで形成されている。また、該支柱材２の適切な位置に、断面Ｍ形連結材４が、ボルトにより複数個固定されている。横木材３は長さが１８６０ｍｍ、元口の直径が６０ｍｍ、末口の直径が５５ｍｍとして、この両端部に断面Ｍ形連結材４内に入る狭小断面の加工、および挿通穴３ａを施し、支柱材２間に均等に４本連結する。そして、ボルト２ｂを挿通穴２ａに挿通して固定することにより、フェンスを構成するものである。
【０００８】
次に、本発明による連結材４の詳細を説明する。図２は、図１中II−II線の連結部における断面平面図である。図３は、図２の側面図である。
同図において、断面Ｍ形の連結材４は、長さが２６０ｍｍ、厚さが３ｍｍ、幅が４０ｍｍのフラットバーを断面Ｍ形に折り曲げ成形したものである。そして、支柱材２に取り付けるために、該連結材４の谷部分に挿通穴４ａが削設されており、一方上記支柱材２の中心には、直径が１０ｍｍの挿通穴２ａが削設され、これら連結材４の挿通穴４ａと支柱材２の挿通穴２ａに連結ボルト２ｂを挿通することにより、支柱材２と横木材３とを固定する。
また、横木材３と断面Ｍ形連結材４の取り付けは、横木材３の狭小断面に直径が１０ｍｍの挿通穴３ａを設け、断面Ｍ形連結材４の両側面に幅が３０ｍｍ、高さが１０ｍｍの楕円形の挿通穴４ｂを設けることにより、ボルト５で固定する。
【０００９】
図３で明らかなように、断面Ｍ形連結材４に設けた挿通穴４ｂは、横木材３の長手方向に楕円形の長穴にしたことにより、支柱間に多少寸法差が生じても許容できることになる。特に、間伐材などの自然木を活用する場合、全ての間伐材が真直ぐな木とは限らず、多少曲折しているものがあるが、このような木材であっても横木材３への連結材４の取付位置を調整することにより、横木材３の上面を均一に整えることが容易に行えることができ、問題なく利用できる。
また、断面Ｍ形の連結材４に横木材３を取り付けるに際し、横木材３の端部を中間断面より狭小断面となるよう削設して、該狭小断面と中間部との間に傾斜部３ｂを形成し、上記連結材４にて該狭小断面を挟持することにより、安全に且つ確実に連結するものである。
【００１０】
このように構成されるフェンス、例えば間伐材を利用する転落防止柵用の丸太フェンス１の設置工事は、図１に示すように、まず、支柱材２の立設個所に穴を掘って筒状の基礎ブロックを縦に埋め込み、この基礎ブロックの内空部に支柱材２を立て、前記内空部の間隙にモルタルを充填し支柱材２を固定する。
【００１１】
このようにすることで、支柱材２の離間距離と横木材３の長さに誤差があったとしても断面Ｍ形連結材４の挿通穴４ｂにより長さを調整することができる。
【００１２】
また、坂道などの傾斜地の施工における支柱材２と横木材３の接続の際においても角度を自由に設定でき、角度の変化による支柱材２間の距離の差も断面Ｍ形連結材４の挿通穴４ｂにより調整することができる。
【００１３】
本発明による支柱材２，横木材３はいずれの木材であっても良いが、例えば、２０年〜３０年産の間伐材を利用した場合、木の皮を剥いだ状態で使用するので、年輪を切除することがなく、ロータリー加工に比べて、非常に高い強度がある。また、木の表面に切削断面がないので、亀裂が入りにくいという特徴がある。
また、太さが一定でなかったり、多少湾曲した不揃いの間伐材であったとしても、端部に狭小断面を形成し、連結材４の取付部を加工することにより、横木材３の上面を同一高さに調整することが容易であり、景観上の違和感をなくすことができる。
【００１４】
本発明によるフェンスは、間伐材の有効利用を図ると共に、低コストで自然な趣のあるフェンスとなり、安定した強度を保つため、風の強い海岸沿いや、ため池の周辺等の転落・横断防止を目的としたフェンスに相応しいものとなる。
【図面の簡単な説明】
【００１５】
【図１】本発明によるフェンスの好適な実施例の要部のみを示す側面図である。
【図２】図１中II−II線における断面平面図である。
【図３】図２の側面図である。
【符号の説明】
【００１６】
１    フェンス
２    支柱材
２a   挿通穴
２b   連結ボルト
３    横木材
３a   挿通穴
３b   傾斜部
４    連結材
４a   挿通穴
４b   挿通穴
５    ボルト